(57)【要約】    【課題】  取り出し可能にデジタルカメラに装着されるメモリカードの内容を簡単且つ的確に管理する。    【解決手段】カメラ情報、メモリカード情報、及び画像オーバーレイ等のラベル印刷条件、並びにメモリカード情報ファイルの作成条件を設定する。そして、プリントボタン４０６を押下すると、図７のラベル印刷処理が起動する。このラベル印刷処理では、ユーザが設定した設定条件に従った処理を行う。即ち、カメラ情報やメモリカード情報の収集を行い印刷データを作成するほか、指定された画像データを読み込んで印刷データを作成する。或いは、前記収集されたカメラ情報やメモリカード情報をまとめたデータファイルを作成してメモリカードに保存したり、前記作成した印刷データをメモリカード用のラベルとして印刷する。メモリカードに貼り付けたラベルを見れば、どのメモリカードに如何なる画像が保存されているかを容易に判断することができる。【選択図】    図７
2007006040.tif 000002
【特許請求の範囲】
【請求項１】
メモリカードが取り出し可能に装着され、前記メモリカードに記憶された画像情報を、印刷装置に印刷させる情報処理装置において、
設定条件に従い、当該情報処理装置に装着された前記メモリカードに関する情報を、該メモリカードに用いるラベル仕様に編集するラベル編集手段と、
前記ラベル編集手段の編集結果に基づいて印刷データを生成する印刷データ生成手段と、
前記印刷データに基づいた印刷を行うべく該印刷データを前記印刷装置へ転送する転送手段とを備えたことを特徴とする情報処理装置。
【請求項２】
前記ラベル編集手段は、
設定条件に従い、当該情報処理装置に関する情報を、前記メモリカードに用いるラベル仕様に編集する手段を更に有することを特徴とする請求項１に記載の情報処理装置。
【請求項３】
前記ラベル編集手段で編集された、前記メモリカードに関する情報及び前記情報処理装置に関する情報と同等の情報ファイルを前記メモリカードに保存するファイル保存制御手段を有することを特徴とする請求項２に記載の情報処理装置。
【請求項４】
前記ラベル編集手段は、
設定条件に従い、当該情報処理装置に装着された前記メモリカード内の画像情報を、該メモリカードに用いるラベル仕様に編集する手段を更に有することを特徴とする請求項１乃至３に記載の情報処理装置。
【請求項５】
前記編集手段によって実行される編集処理、並びに前記ファイル保存制御手段によって実行される保存処理のうち、１つ又は複数の処理の設定を選択的に行う設定手段を有し、
前記設定条件は、前記設定手段によって設定されることを特徴とする請求項４に記載の情報処理装置。
【請求項６】
メモリカードが取り出し可能に装着され、前記メモリカードに記憶された画像情報を、印刷装置に印刷させる情報処理装置の制御方法であって、
設定条件に従い、当該情報処理装置に装着された前記メモリカードに関する情報を、該メモリカードに用いるラベル仕様に編集するラベル編集工程と、
前記ラベル編集工程の編集結果に基づいて印刷データを生成する印刷データ生成工程と、
前記印刷データに基づいた印刷を行うべく該印刷データを前記印刷装置へ転送する転送工程とを実行することを特徴とする情報処理装置の制御方法。
【請求項７】
メモリカードが取り出し可能に装着され、前記メモリカードに記憶された画像情報を、印刷装置に印刷させる情報処理装置の制御方法を実行するための、コンピュータで読み取り可能な制御プログラムであって、
設定条件に従い、当該情報処理装置に装着された前記メモリカードに関する情報を、該メモリカードに用いるラベル仕様に編集するラベル編集ステップと、
前記ラベル編集ステップの編集結果に基づいて印刷データを生成する印刷データ生成ステップと、
前記印刷データに基づいた印刷を行うべく該印刷データを前記印刷装置へ転送する転送ステップとを備えたことを特徴とする制御プログラム。
【発明の詳細な説明】
【技術分野】
【０００１】
本発明は、デジタルカメラ等の情報処理装置及びその制御方法、並びに前記制御方法を実現するための制御プログラムに関する。
【背景技術】
【０００２】
デジタルカメラなどの画像撮影装置と、印刷装置とが接続されて成る印刷システムは、従来より一般的に知られている（例えば特許文献１を参照）。
【０００３】
この種の印刷システムでは、ＵＳＢインターフェイスを装備したデジタルカメラと印刷装置をＵＳＢケーブルを介して接続する。そして、デジタルカメラ側では、その画像処理機構により画像を印刷データに変換して印刷装置に転送し、印刷装置側では、転送されてきた印刷データを、印刷機構により普通用紙やシール用紙に印刷出力する。
【０００４】
このような処理を行う印刷システムは、デジタルカメラで撮影した画像を各種用紙に印刷するという目的を十分果たすことができた。
【０００５】
また、一般に、デジタルカメラでは、その機構上、撮影画像を、取り外し可能なメモリカードに保存する仕組みになっている。利用者は、そのメモリカードが撮影画像で満杯になったら差し替える、という利用方法を採っている。さらに利用者は、撮影中には複数のメモリカードを管理し、撮影後には、それらのメモリカードから必要な画像を取り出し、整理、編集、加工、印刷、保存する、といった事後処理を行うことも多い。
【特許文献１】特開２００２−２３７９７４号公報
【発明の開示】
【発明が解決しようとする課題】
【０００６】
しかしながら、デジタルカメラによる撮影後に、前述したような事後処理を行う際には、どのメモリカードに如何なる画像が保存されているか、といったメモリカードの内容について知っておく必要がある。そのためには、メモリカードをコンピュータ装置等に装着し、メモリカードの内容を画面に一覧表示してから判別しなければならず、非常に不便であった。
【０００７】
本発明は上記従来の問題点に鑑み、取り出し可能に装置に装着されるメモリカードの内容を簡単且つ的確に管理することができる情報処理装置及びその制御方法、並びに制御プログラムを提供することを目的とする。
【課題を解決するための手段】
【０００８】
本発明は上記目的を達成するため、メモリカードが取り出し可能に装着され、前記メモリカードに記憶された画像情報を印刷装置に印刷させる情報処理装置において、設定条件に従い、当該情報処理装置に装着された前記メモリカードに関する情報を、該メモリカードに用いるラベル仕様に編集するラベル編集手段と、前記ラベル編集手段の編集結果に基づいて印刷データを生成する印刷データ生成手段と、前記印刷データに基づいた印刷を行うべく該印刷データを前記印刷装置へ転送する転送手段とを備えたことを特徴とする。
【０００９】
また、本発明は、メモリカードが取り出し可能に装着され、前記メモリカードに記憶された画像情報を印刷装置に印刷させる情報処理装置の制御方法であって、設定条件に従い、当該情報処理装置に装着された前記メモリカードに関する情報を、該メモリカードに用いるラベル仕様に編集するラベル編集工程と、前記ラベル編集工程の編集結果に基づいて印刷データを生成する印刷データ生成工程と、前記印刷データに基づいた印刷を行うべく該印刷データを前記印刷装置へ転送する転送工程とを実行することを特徴とする。
【００１０】
また、本発明は、メモリカードが取り出し可能に装着され、前記メモリカードに記憶された画像情報を印刷装置に印刷させる情報処理装置の制御方法を実行するための、コンピュータで読み取り可能な制御プログラムであって、設定条件に従い、当該情報処理装置に装着された前記メモリカードに関する情報を、該メモリカードに用いるラベル仕様に編集するラベル編集ステップと、前記ラベル編集ステップの編集結果に基づいて印刷データを生成する印刷データ生成ステップと、前記印刷データに基づいた印刷を行うべく該印刷データを前記印刷装置へ転送する転送ステップとを備えたことを特徴とする。
【発明の効果】
【００１１】
本発明によれば、情報処理装置に装着されたメモリカードに関する情報等を、メモリカード用のラベルとして印刷することが可能になる。これにより、取り出し可能に装置に装着されるメモリカードの内容を簡単且つ的確に管理することができる。
【発明を実施するための最良の形態】
【００１２】
本発明の情報処理装置及びその制御方法、並びに制御プログラムの実施の形態について、図面を参照しながら説明する。
【００１３】
＜印刷システムの構成＞
図１は、本発明の実施の形態に係る画像撮影装置を含む印刷システムの外観構成を示す概略斜視図である。また、図２は、図１中のデジタルカメラの内部構成を示すブロック図であり、図３は、図１中のプリンタ１０８の内部構成を示すブロック図である。
【００１４】
この印刷システムは、図１に示すように、画像撮影装置であるデジタルカメラ１００と、このデジタルカメラ１００で撮影した画像を各種の用紙に印刷可能なプリンタ１０８とがＵＳＢケーブル１０７を介して接続されて成る。デジタルカメラ１００には、撮影した画像を保存するためのメモリカード２１４が取り出し可能に装着されるようになっている。
【００１５】
デジタルカメラ１００は、図２に示すように、ＣＰＵ２１２、ＲＯＭ２１３、メモリカード２１４、ＵＳＢ制御装置２１５、アナログ−デジタル信号処理機構（Ａ／Ｄ処理機構）２０２、ＲＡＭ２０３、ＬＣＤパネル１０１、及びキー入力制御装置２１０を有し、これらがバス２１１を介して接続されている。デジタルカメラ１００を動作させるための制御プログラムは、ＲＯＭ２１３に書き込んであり、デジタルカメラ１００の起動時にＲＡＭ２０３上に読み込まれ、ＣＰＵ２１２で実行されるようになっている。
【００１６】
また、Ａ／Ｄ処理機構２０２は、光学的撮影機構２０１から得られたアナログ画像をデジタル信号化するものである。キー入力制御装置２１０は、レリーズスイッチ１０２、クロススイッチ１０６、プリントスイッチ１０３、キャンセルスイッチ１０４、及びＯＫスイッチ１０５等のキー入力を制御する。そして、ＵＳＢ制御装置２１５には、ＵＳＢケーブル１０７を介してプリンタ１０８が接続される。
【００１７】
プリンタ１０８は、図３に示すように、ＣＰＵ３０７、ＲＯＭ３０６、及びＲＡＭ３０５のほかに、印刷機構３０１を制御する印刷機構制御装置３０２と、ＵＳＢケーブル１０７を介して上記デジタルカメラ１００に接続されるＵＳＢ制御装置３０３とがバス３０４を介して接続されている。プリンタ１０８を動作させるための制御プログラムは、ＲＯＭ３０６に書き込んであり、プリンタ１０８の起動時にＲＡＭ３０５上に読み込まれ、ＣＰＵ３０７で実行される。
【００１８】
＜印刷システムの通常動作＞
次に、デジタルカメラ１００の制御プログラムによって実行される画像撮影動作及び画像転送動作と、プリンタ１０８の制御プログラムによって実行される画像印刷動作について、概要を説明する。
【００１９】
（Ａ）画像撮影動作
デジタルカメラ１００の利用者がレリーズスイッチ１０２を押したことをキー入力制御装置２１０が検知すると、光学的撮影機構２０１に撮影トリガをかける。光学的撮影機構２０１は、撮影トリガに応じて画像撮影を行い、そのアナログ画像をＡ／Ｄ処理機構２０２へ送る。Ａ／Ｄ処理機構２０２はアナログ画像をデジタル信号化し、メモリカード２１４に画像データとして保存する。
【００２０】
（Ｂ）画像転送動作
デジタルカメラ１００の利用者に対して、ＬＣＤパネル１０１上に印刷メニューを表示提供する。利用者は、クロススイッチ１０６を用いて該印刷メニュー上の印刷条件を選択するほか、ＯＫスイッチ１０５で印刷条件を確定したり、キャンセルスイッチ１０４で印刷条件の確定を取り消したりすることができる。
【００２１】
利用者が、印刷メニューの印刷開始をプリントスイッチ１０３で選択すると、前記確定した印刷条件で選択された画像データをメモリカード２１４から取り出し、ＲＡＭ２０３へ読み込んで印刷データに変換する。そして、その印刷データを、ＵＳＢ制御装置２１５を通してプリンタ１０８へ転送する。
【００２２】
（Ｃ）画像印刷
プリンタ１０８では、ＵＳＢケーブル１０７を通じてＵＳＢ制御装置３０３で受信した印刷データを印刷機構制御装置３０２へ転送する。印刷機構制御装置３０２は、印刷機構３０１を制御して、印刷機構３０１に印刷データを転送し、所定の用紙に印刷を実施する。
【００２３】
＜ラベル印刷機能＞
次に、本実施の形態に係る特徴的な機能として、メモリカード用のラベルを印刷するラベル印刷機能について、図４〜図８を参照して説明する。
【００２４】
（Ａ）ラベル印刷条件の設定
図４（ａ），（ｂ）は、ラベル印刷条件の設定を行うためのラベル印刷メニュー画面の表示例を示す画面図であり、同図（ａ）はその日本語表記、同図（ｂ）は英語表記である。また、図５及び図６は、ラベル印刷メニュー画面に表示される各設定行の選択肢の内容を示す一覧図であり、図５はその日本語表記を示し、図６は英語表記を示している。このラベル印刷メニュー画面を表示するための制御プログラムは、本実施の形態のラベル印刷機能を実現するための制御プログラムの一部として、デジタルカメラ１００のＲＯＭ２１３に格納されている。
【００２５】
デジタルカメラ１００の利用者は、まず、ＬＣＤパネル１０１上に表示された操作画面において、ラベル印刷メニュー用のタグ（ＬＡＢＥＬ−ＰＲＴ）４０１をクロススイッチ１０６で選択して、図４（ａ），（ｂ）に示すようなラベル印刷メニュー画面をＬＣＤパネル１０１上に表示し、ラベル印刷メニューの利用を開始する。これ以降におけるラベル印刷メニュー内の各設定行の選択肢の選択や、日本語表記と英語表記の選択もクロススイッチ１０６で行うことができる。
【００２６】
本実施の形態のラベル印刷メニューでは、図４（ａ），（ｂ）に示すように、次の４種類のラベル印刷条件を設定することができるようになっている。即ち、カメラ情報（ＣＡＭＥＲＡ  ＩＮＦ）の印刷条件設定行４０２、メモリカード情報（ＣＡＲＤ  ＩＮＦ）の印刷条件設定行４０３、画像オーバーレイ（ＰＩＣＴＵＲＥ−ＯＶＬ）の印刷条件設定行４０４、及びカード情報ファイル（ＣＡＲＤ  ＩＮＦ−ＦＩＬＥ）の作成条件設定行４０５である。
【００２７】
これらの設定行で設定できる選択肢は、図５及び図６の一覧表に示すように意味付けがなされている。その意味付けの内容は、例えば、図示しない意味付け表示用の機能スイッチを選択するなどの手法で、ＬＣＤパネル１０１に表示することができるようになっている。
【００２８】
図４（ａ），（ｂ）のラベル印刷メニュー画面で設定されたラベル印刷条件は、ラベル印刷メニュー画面内のＯＫボタン４０８を押下することにより確定し、ラベル印刷メニュー画面内のキャンセルボタン４０７を押下することにより、その印刷条件の確定が取り消される。
【００２９】
本実施の形態では、図４（ａ），（ｂ）に示すラベル印刷メニュー画面において、例えば以下のような設定が選択され、その設定情報がＲＡＭ２０３に保持されている。
【００３０】
即ち、カメラ情報（ＣＡＭＥＲＡ  ＩＮＦ）の印刷条件設定行４０２では、「２」の「標準」モードが選択されており、詳しくは、「カメラモデル名（ＭＯＤＥＬ  ＮＡＭＥ）と「カメラ所有者名（ＯＷＮＥＲ  ＮＡＭＥ）」を印刷する、といった設定が選択されている。メモリカード情報（ＣＡＲＤ  ＩＮＦ）の印刷条件設定行４０３では、「２」の「標準」モードが選択されており、詳しくは、「最古の画像の撮影日付（ＯＬＤＥＳＴ  ＰＩＣ−ＤＡＴＥ）」と、「最新の画像の撮影日付（ＬＡＴＥＳＴ  ＰＩＣ−ＤＡＴＥ）」と、「メモリカード内の総画像枚数（ＰＩＣＴＵＲＥ  ＣＯＵＮＴ）」と、「メモリカードの使用量（ＵＳＥＤ  ＶＯＬＵＭＥ）」と、「印刷日時（ＰＲＩＮＴ  ＤＡＴＥ）」を印刷する、といった設定が選択されている。
【００３１】
さらに、画像オーバーレイ（ＰＩＣＴＵＲＥ−ＯＶＬ）の印刷条件設定行４０４では、「メモリカード内のＰＩＣＴＵＲＥ＿０００１．ＪＰＧ」という画像ファイルを選択し重ね印刷する、といった設定が選択されている。カード情報ファイル（ＣＡＲＤ  ＩＮＦ−ＦＩＬＥ）の作成条件設定行４０５では、「ＳＡＶＥ」、つまり詳細なカメラ情報とメモリカード情報の内容で情報ファイルを作成する、といった設定が選択されている。詳しくは、カメラ情報としては、「カメラモデル名（ＭＯＤＥＬ  ＮＡＭＥ）」と、「カメラ所有者名（ＯＷＮＥＲ  ＮＡＭＥ）」と、「カメラ製造番号（ＭＡＣＨＩＮＥ  ＳＥＲＩＡＬ）」を保持し、メモリカード情報としては、「最古の画像の撮影日付（ＯＬＤＥＳＴ  ＰＩＣ−ＤＡＴＥ）」と、「最新の画像の撮影日付（ＬＡＴＥＳＴ  ＰＩＣ−ＤＡＴＥ）」と、「メモリカード内の総画像枚数（ＰＩＣＴＵＲＥ  ＣＯＵＮＴ）」と、「メモリカードの使用量（ＵＳＥＤ  ＶＯＬＵＭＥ）」と、「メモリカードの総容量（ＴＯＴＡＬ＿ＶＯＬＵＭＥ）と印刷日時（ＰＲＩＮＴ  ＤＡＴＥ）」とを保持したファイルを保存する、といった設定がなされている。
【００３２】
（Ｂ）ラベル印刷処理
次に、上記のラベル印刷条件で実行される本実施の形態に係るラベル印刷処理について図７を参照しつつ説明する。図７は、本実施の形態に係るラベル印刷処理を示すフローチャートである。
【００３３】
本実施の形態に係る印刷システムの利用者が、図４（ａ），（ｂ）に示すようなラベル印刷メニュー画面において、プリントボタン４０６を選択すると、図７に示すラベル印刷処理が起動される。このラベル印刷処理は、デジタルカメラ１００を動作させるための制御プログラムの一部として、ＲＯＭ２１３に書き込んであり、デジタルカメラ１００の起動時にＲＡＭ２０３上に読み込まれ、ＣＰＵ２１２で実行される。
【００３４】
まずステップＳ６０１では、カメラ情報（ＣＡＭＥＲＡ  ＩＮＦ）の印刷条件の判定を行う。カメラ情報（ＣＡＭＥＲＡ  ＩＮＦ）の印刷条件設定行４０２の設定が「ＮＯ」でなければ判定は“真”になり、ステップＳ６０２へ進み、印刷すべきカメラ情報を読み込んで印刷データに加工し保持する。本実施の形態では、ラベル印刷メニュー画面での設定により、「カメラモデル名（ＭＯＤＥＬ  ＮＡＭＥ）とカメラ所有者名（ＯＷＮＥＲ  ＮＡＭＥ）」の印刷データを保持することになる。
【００３５】
次にステップＳ６０３では、メモリカード情報（ＣＡＲＤ  ＩＮＦ）の印刷条件の判定を行う。メモリカード情報（ＣＡＲＤ  ＩＮＦ）の印刷条件設定行４０３の設定が「ＮＯ」でなければ判定は“真”になり、ステップＳ６０４へ進み、印刷すべきメモリカード情報を読み込んで印刷データに加工し保持する。本実施の形態では、ラベル印刷メニュー画面での設定により、「最古の画像の撮影日付（ＯＬＤＥＳＴ  ＰＩＣ−ＤＡＴＥ）と最新の画像の撮影日付（ＬＡＴＥＳＴ  ＰＩＣ−ＤＡＴＥ）とメモリカード内の総画像枚数（ＰＩＣＴＵＲＥ  ＣＯＵＮＴ）とメモリカードの使用量（ＵＳＥＤ  ＶＯＬＵＭＥ）と印刷日時（ＰＲＩＮＴ  ＤＡＴＥ）」の各印刷データを保持する。
【００３６】
次にステップＳ６０５では、画像オーバーレイ（ＰＩＣＴＵＲＥ−ＯＶＬ）の印刷条件の判定を行う。画像オーバーレイ（ＰＩＣＴＵＲＥ−ＯＶＬ）の印刷条件設定行４０４の設定が「ＮＯ」でなければ判定は“真”になり、ステップＳ６０６へ進み、印刷すべき画像ファイルを読み込んで印刷データに加工し保持する。本実施の形態では、ラベル印刷メニューの指定により、メモリカード内の「ＰＩＣＴＵＲＥ＿０００１．ＪＰＧ」という画像ファイルを読み込んで解読し、画像印刷データに変換し保持する。
【００３７】
次にステップＳ６０７では、カード情報ファイル（ＣＡＲＤ  ＩＮＦ−ＦＩＬＥ）の作成条件の判定を行う。
【００３８】
カメラ情報（ＣＡＭＥＲＡ  ＩＮＦ）の印刷条件設定行４０２とメモリカード情報（ＣＡＲＤ  ＩＮＦ）の印刷条件設定行４０３における設定のいずれかが「ＮＯ」でなければ、判定は“真”になりステップＳ６０８へ進み、メモリカード２１４に保存すべき情報ファイルを作成し、メモリカード２１４に書き込む。本実施の形態では、ラベル印刷メニュー画面での設定により、「カメラモデル名（ＭＯＤＥＬ  ＮＡＭＥ）」と「カメラ所有者名（ＯＷＮＥＲ  ＮＡＭＥ）」と「最古の画像の撮影日付（ＯＬＤＥＳＴ  ＰＩＣ−ＤＡＴＥ）」と「最新の画像の撮影日付（ＬＡＴＥＳＴ  ＰＩＣ−ＤＡＴＥ）」と「メモリカード内の総画像枚数（ＰＩＣＴＵＲＥ  ＣＯＵＮＴ）」と「メモリカードの使用量（ＵＳＥＤ  ＶＯＬＵＭＥ）」と「印刷日時（ＰＲＩＮＴ  ＤＡＴＥ）」とが、情報ファイル内に保存されてメモリカード２１４に書き込まれる。本実施の形態では、情報ファイルの形式を単純テキストとしたため、その内容は、例えば以下のようになる。
ＭＯＤＥＬ    ：  ＡＢＣ  ＰＯＷＥＲＳＨＯＴ  １０００
ＯＷＮＥＲ    ：  Ｔａｒｏ  Ｙａｍａｄａ，  ＡＢＣ  ＩＮＣ．  ＪＡＰＡＮ
ＤＵＲＡＴＩＯＮ  ＦＲＯＭ：  ２００２／０５／０８  ＴＯ：  ２００２／１０／２２
ＰＩＣＴＵＲＥＳ  ＝  ３０５  （ＰＩＣＳ）  ／  ２５９．５（ＭＢ）
ＰＲＩＮＴＥＤ：  ２００２／１０／２２
上記情報ファイルがメモリカード２１４に書き込まれた後、ステップＳ６０９へ進んで書き込みが完了したか否かの判定を行う。判定が“偽”であった場合は、ステップＳ６１０でラベル印刷メニュー画面上に、「メモリカードへの書き込みが失敗しました」
というエラーメッセージを表示し、メモリカード２１４の容量不足などで書き込みに失敗したことを警告する。
【００３９】
そして、次のステップＳ６１１では、印刷開始条件の判定を行う。カメラ情報（ＣＡＭＥＲＡ  ＩＮＦ）の印刷条件設定行４０２とメモリカード情報（ＣＡＲＤ  ＩＮＦ）の印刷条件設定行４０３における設定のいずれかが「ＮＯ」でなければ判定は“真”になり、先のステップＳ６０２とステップＳ６０４とステップＳ６０６で作成した印刷データをプリンタ１０８へ転送し印刷を行う。図８は、メモリカード用のラベルの印刷結果の一例を示す外観図である。
【００４０】
印刷の後、ステップＳ６１３へ進んで印刷が完了したか否かの判定を行う。判定が“偽”であった場合と、先のステップＳ６１１で印刷データが無かった場合は、ステップＳ６１４でラベル印刷メニュー画面上に、「ラベル印刷に失敗しました」というエラーメッセージを表示し、印刷データが無かったり、プリンタ１０８の紙切れなどで印刷に失敗したことを警告する。
【００４１】
＜本実施の形態の利点＞
本実施の形態によれば、ユーザは、まず、図４（ａ），（ｂ）のラベル印刷メニューにおいて、カメラ情報、メモリカード情報、及び画像オーバーレイ等のラベル印刷条件、並びにメモリカード情報ファイルの作成条件を設定する。そして、プリントボタン４０６を押下すると、図７のラベル印刷処理が起動する。このラベル印刷処理では、ユーザが設定した設定条件に従った処理を行う。即ち、カメラ情報やメモリカード情報の収集を行い印刷データを作成するほか（ステップステップＳ６０１〜ステップステップＳ６０４）、指定された画像データを読み込んで印刷データを作成する（ステップステップＳ６０５、ステップステップＳ６０６）。或いは、前記収集されたカメラ情報やメモリカード情報をまとめたデータファイルを作成してメモリカードに保存したり（ステップステップＳ６０７〜ステップステップＳ６１０）、前記作成した印刷データを、メモリカード用のラベルに印刷する（ステップステップＳ６１１〜ステップステップＳ６１４）。
【００４２】
これにより、メモリカードが取り出し可能に装着されるデジタルカメラを利用するユーザに対して、メモリカードを簡単且つ的確に管理する手段を提供することができる。即ち、利用者は、撮影後に、上記のようにラベル印刷処理が成されたラベルを作成し、このラベルをメモリカードに貼り付けて管理する。そして、メモリカードから必要な画像を取り出し、整理、編集、加工、印刷、保存する、といった事後処理を行うに際し、メモリカードに貼り付けたラベルを見れば、どのメモリカードに如何なる画像が保存されているかを容易に判断することができるので、前記事後処理を簡単に行うことが可能になる。
【００４３】
なお、本実施の形態では、メモリカード情報ファイルはテキストファイル形式としたが、その内容はバイナリファイルとしても良い。また、本実施の形態では、図７のラベル印刷処理を、カメラ情報の印刷データ作成、メモリカード情報の印刷データ作成、画像オーバーレイの印刷データの作成、メモリカード情報ファイルの作成の順番で行ったが、この順番は入れ替えても効果は変わらない。また、本実施の形態では、同様に図７のラベル印刷処理において、メモリカード情報ファイルの作成、ラベル印刷実行の順番で行ったが、この順番は入れ替えても構わない。
【００４４】
また、上記の実施例においては、プリンタとはケーブルによる接続で説明したが無線による通信により、ラベル印刷用のデータを送信しても良い。また、デジタルカメラなどの情報処理装置が、プリンタと一体的に構成されていてもよい。
【００４５】
また、本発明の目的は、実施形態の機能を実現するソフトウェアのプログラムコードを記録した記憶媒体を、システム或いは装置に供給し、そのシステム或いは装置のコンピュータ（又はＣＰＵやＭＰＵ等）が記憶媒体に格納されたプログラムコードを読み出して実行することによっても達成される。
【００４６】
この場合、記憶媒体から読み出されたプログラムコード自体が前述した実施の形態の機能を実現することになり、そのプログラムコード及び該プログラムコードを記憶した記憶媒体は本発明を構成することになる。
【００４７】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。又は、プログラムコードをネットワークを介してダウンロードしても良い。
【００４８】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部又は全部を行い、その処理によって前述した実施形態の機能が実現される場合も含まれる。
【００４９】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれる。
【００５０】
この場合、上記プログラムは、該プログラムを記憶した記憶媒体から直接、又はインターネット、商用ネットワーク、若しくはローカルエリアネットワーク等に接続された不図示の他のコンピュータやデータベース等からダウンロードすることにより供給される。
グラムコード、ＯＳに供給されるスクリプトデータ等の形態から成っても良い。
【図面の簡単な説明】
【００５１】
【図１】実施の形態に係る画像撮影装置を含む印刷システムの外観構成を示す概略斜視図である。
【図２】図１中のデジタルカメラの内部構成を示すブロック図である。
【図３】図１中のプリンタ１０８の内部構成を示すブロック図である。
【図４】ラベル印刷条件の設定を行うためのラベル印刷メニュー画面の表示例を示す画面図である。
【図５】ラベル印刷メニュー画面に表示される各設定行の選択肢の内容を示す一覧図である。
【図６】ラベル印刷メニュー画面に表示される各設定行の選択肢の内容を示す一覧図である。
【図７】実施の形態に係るラベル印刷処理を示すフローチャートである。
【図８】メモリカード用のラベルの印刷結果の一例を示す外観図である。
【符号の説明】
【００５２】
１００  デジタルカメラ
１０１  ＬＣＤパネル
１０３  プリントスイッチ
１０４  キャンセルスイッチ
１０５  ＯＫスイッチ
１０６  クロススイッチ
１０７  ＵＳＢケーブル
１０８  プリンタ
２０３  ＲＡＭ
２０４  ＬＣＤ
２１２  ＣＰＵ
２１３  ＲＯＭ
２１４  メモリカード
４０２  カメラ情報の印刷条件の設定行
４０３  メモリカード情報の印刷条件の設定行
４０４  画像オーバーレイ印刷の設定行
４０５  メモリカード情報ファイル作成の設定行
４０６  プリントボタン
４０８  ＯＫボタン
【図１】
2007006040.tif 000003
【図２】
2007006040.tif 000004
【図３】
2007006040.tif 000005
【図４】
2007006040.tif 000006
【図５】
2007006040.tif 000007
【図６】
2007006040.tif 000008
【図７】
2007006040.tif 000009
【図８】
2007006040.tif 000010